(57)【特許請求の範囲】
【請求項１】
アレルゲンを不活性化し、抗原抗体反応を抑制するアレルゲン低減化成分を基材に含浸させてなり、上記アレルゲン低減化成分が、明礬、ラウリルベンゼンスルホン酸塩、ラウリル硫酸塩、ポリオキシエチレンラウリルエーテル硫酸塩からなる群より選ばれた少なくとも１つであることを特徴とする畳用清拭シート。
【請求項２】
アレルゲンを不活性化し、抗原抗体反応を抑制するアレルゲン低減化成分を基材に含浸させてなり、上記アレルゲン低減化成分が、リン酸塩と、硫酸亜鉛及び／又は酢酸鉛であることを特徴とする畳用清拭シート。
【請求項３】
アレルゲンがチリダニ由来であることを特徴とする請求項１又は請求項２に記載の畳用清拭シート。
【請求項４】
基材が繊維集合体であることを特徴とする請求項１〜３項いずれか１項に記載の畳用清拭シート。
【請求項５】
基材に対し、５０〜５００重量％の割合で液状成分が含浸されていることを特徴とする請求項１〜４項いずれか１項に記載の畳用清拭シート。
【発明の詳細な説明】
【０００１】
【発明の属する技術分野】
本発明は、ダニや花粉等のアレルゲンを低減化する機能を有する畳用清拭シートに関する。
【０００２】
【従来の技術】
近年、アトピー性皮膚炎、気管支喘息、アレルギー性鼻炎など多くのアレルギー疾患が問題となってきている。その主な原因は、住居内性ダニ類、特に室内塵中に多いチリダニのアレルゲン（Der１、Der2）や、おもに春季に猛威を振るうスギ花粉アレルゲン（Crij1，Crij2）等の多くのアレルゲンが生活空間内に増えてきているためである。
特にチリダニのアレルゲンはその原因となるチリダニを駆除しても、その死虫が更にアレルゲン性の高い物質を生活空間に供給することになり、アレルゲンが原因となるアレルギー疾患の根本的な解決には至らない。Ｃｒｉｊ１は分子量約４０ｋＤａの糖タンパク質、Ｃｒｉｊ２は分子量約３７ｋＤａの糖タンパク質であり、鼻粘膜等に付着すると生体外異物として認識され炎症反応を引き起こす。
よって、アレルギー疾患の症状軽減あるいは新たな感作を防ぐためには、生活空間から完全にアレルゲンを取り除くか、アレルゲンを変性させるなどして不活性化させることが必要となる。
【０００３】
一方、畳床の掃除は、通常電気掃除機による吸引によって簡易的に行われているが、電気掃除機による吸引のみでは、畳表面の塵などの粒子物質を吸引除去できても、畳表面に染みついた人体から分泌される皮脂等の油性物質や油性物質と共にこびり付いた上記のようなアレルゲンを除去することはできない。
そこで、このような油性物質などを除去するために、堅く絞った濡れ雑巾やウェットティッシュあるいは市販の畳用清拭シートを用いて畳表面を掃除することも行われている。しかしながら、畳用清拭シートを用いても充分にアレルゲンを除去することができず、畳表面上にはアレルゲンが活性な状態で多く残存しているという問題点があった。
【０００４】
【発明が解決しようとする課題】
本発明は、上記問題点に鑑み、アレルゲンに汚染された畳表面から簡便に効率よくアレルゲンを除去し、効果的に畳表面上のアレルゲン量を低減化する清拭シートを提供することを目的とする。
【０００５】
【課題を解決するための手段】
上記目的を達成するために、請求項１記載の本発明は、アレルゲンを不活性化し、抗原抗体反応を抑制するアレルゲン低減化成分を基材に含浸させてなり、上記アレルゲン低減化成分が、明礬、ラウリルベンゼンスルホン酸塩、ラウリル硫酸塩、ポリオキシエチレンラウリルエーテル硫酸塩からなる群より選ばれた少なくとも１つである畳用清拭シートを提供する。
また、請求項２記載の本発明は、アレルゲンを不活性化し、抗原抗体反応を抑制するアレルゲン低減化成分を基材に含浸させてなり、上記アレルゲン低減化成分が、リン酸塩と、硫酸亜鉛及び／又は酢酸鉛である畳用清拭シートを提供する。
また、請求項３記載の本発明は、アレルゲンがチリダニ由来である請求項１又は請求項２に記載の畳用清拭シートを提供する。
また、請求項４記載の本発明は、基材が繊維集合体である請求項１〜３項いずれか１項に記載の畳用清拭シートを提供する。
また、請求項５記載の本発明は、基材に対し、５０〜５００重量％の割合で液状成分が含浸されている請求項１〜４項いずれか１項に記載の畳用清拭シートを提供する。
【０００６】
本発明で用いられるアレルゲン低減化成分は、アレルゲンを不活性化し、抗原抗体反応を抑制できる成分をいう。
【０００７】
本発明のアレルゲン低減化成分としては、アルカリ金属の炭酸塩、明礬、ラウリルベンゼンスルホン酸塩、ラウリル硫酸塩、ポリオキシエチレンラウリルエーテル硫酸塩、また、リン酸塩と、硫酸亜鉛及び／又は酢酸鉛が、畳への着色の心配が少ないという点から好ましく用いられる。
【０００９】
上記明礬としては、硫酸アルミニウムと、アルカリ金属やタリウム、アンモニウム等の１価イオンの硫酸塩とからなる複塩が挙げられる。また、アルミニウムをクロム、鉄、等に置き換えた複塩も同様に挙げられる。好ましくは硫酸アルミニウムカリウム、硫酸アルミニウムナトリウムである。特にアレルゲン低減化能力の高い硫酸アルミニウムカリウムは、主に十二水和物（ＡｌＫ（ＳＯ4）2・１２Ｈ2Ｏ）あるいは無水物（ＡｌＫ（ＳＯ4）2）が用いられるが、水和物が水分子を段階的に失う過程で存在する部分的な水和物であってもよい。
明礬の一部は、カリミョウバンとして食品添加物および化粧品原料にも指定されているため安全性が高い物質である。また、明礬を畳用清拭シートとして用いた場合、畳にべたつき感を与えず、起泡性を持たないことから絨毯にも泡立ちがなく、使用感が良好である。このような安全性、使用感の点で、畳用清拭シートとして特に好適に用いられる。
【００１０】
上記ラウリルベンゼンスルホン酸塩、ラウリル硫酸塩、ポリオキシエチレンラウリルエーテル硫酸塩の塩としては、リチウム、ナトリウム、カリウム、マグネシウムなどの金属塩、アンモニウム塩、トリエタノールアミンなどのアミン塩が挙げられ、特に好ましくはナトリウム塩、トリエタノールアミン塩である。
【００１１】
上記リン酸塩としては、水系溶媒に溶解したときＰＯ43-イオンを生成する塩類を指し、例えば、実施例に用いたようなリン酸二水素ナトリウム（リン酸一ナトリウム）、リン酸水素二ナトリウム(リン酸二ナトリウム)の他に、リン酸二水素カリウム等が挙げられる。
【００１２】
上記硫酸亜鉛としては、主に水和物（七水和物）あるいは無水物が用いられるが、水和物が水分子を段階的に失う過程で存在する部分的な水和物であってもよい。
硫酸亜鉛は古来より、白ばんあるいは亜鉛華などとして知られており日本薬局方にも収載されている。また、食品添加物であり、人の成長、健康維持に必須の微量金属元素であるＺｎの供給を目的として、母乳代替食品に添加されているため安全性が高く、畳用清拭シートとして好適に用いられる。
【００１３】
上記酢酸鉛とは、水和物（三水和物）、あるいは無水物が用いられるが、水和物が水分子を段階的に失う過程で存在する部分的な水和物であっても良い。上記酢酸鉛は、古来より、鉛糖として知られており日本薬局方にも収載されている。
【００１４】
本発明の畳用清拭シートには、上記アレルゲン低減化成分が少なくとも1つ有効成分として配合されていればよく、２つ以上を組み合わせて使用されていてもよい。
【００１５】
アレルゲン低減化成分の、本発明の畳用清拭シートに配合される量としては、基材に対して、０．１〜１００重量％の割合で配合されることが好ましい。さらに好ましくは、０．２〜６０重量％の割合、特に好ましくは０．５〜３０重量％の割合である。
０．１重量％未満であれば、アレルゲン低減化効果を発揮することが難しくなることがあり、１００重量％を超えた量を使用した場合には、畳表面を拭いた場合にべたつき感が出て使用に適さないことがあり、あるいは使用後に塩の析出があり、更に清掃の必要性が出て来ることがある。
【００１６】
本発明で用いられる基材としては、アレルゲン低減化成分を含浸できるものであれば、いかなる素材、形態のものを用いてもよく、繊維集合体や内部に空孔を有する構造体が好適に用いられる。
繊維集合体としては、特に限定されず、例えば織布、不織布等が挙げられ、不織布は、熱融着や圧縮などいかなる製造方法によるものでも用いることができる。繊維の材質としては、例えば、ポリエステル系繊維、ポリアミド系繊維、ポリオレフィン系繊維等の熱可塑性繊維、またこれら各繊維の複合化繊維、アセテート等の半合成繊維、キュプラ、レーヨン等の再生繊維、コットン、セルロース等の天然繊維あるいはこれらの混綿などが用いられる。
上記内部に空孔を有する構造体としては、ポリエチレン、ポリプロピレン、ポリスチレン等の合成高分子の発泡体、天然ゴム等の天然物の発泡体、あるいは合成高分子および天然物を熱や溶剤により溶融させた後、空孔を持つように成型したもの等が用いられる。
【００１７】
中でも、アレルゲン低減化成分を容易に含浸させ、アレルゲンを絨毯から除去する機能に優れている点から、上記繊維集合体が特に好適に用いられる。
また、畳用清拭シートとしてさらに性能を高めるためには、アレルゲン低減化成分を含浸する機能が高い基材と、畳を清拭する機能が高い基材とを２層以上組み合わせて用いてもよい。すなわち、本発明の畳用清拭シートは、基材として上記繊維集合体を１種だけで使用してもよく、２種以上組み合わせて使用してもよい。
また、上記繊維集合体は、界面活性剤や油剤などの表面処理、分極処理による静電的な吸着効果などによりアレルゲン除去機能を向上させてもよい。
【００１８】
アレルゲン低減化成分を上記基材に含浸させる方法としては、上記アレルゲン低減化成分を適当な溶媒に溶解あるいは分散して液状成分とし、基材に含浸させることが好ましい。
上記溶媒としては、例えば水、アルコール類（メチルアルコール、エチルアルコール、プロピルアルコール等）、炭化水素類（トルエン、キシレン、メチルナフタレン、ケロセン、シクロヘキサン等）、エーテル類（ジエチルエーテル、テトラヒドロフラン、ジオキサン等）、ケトン類（アセトン、メチルエチルケトン等）、アミド類（Ｎ，Ｎ−ジメチルホルムアミド等）等が挙げられる。
【００１９】
上記液状成分の量としては、基材に対して５０〜５００重量％であることが好ましく、さらに好ましくは、１００〜４００重量％である。
液状成分の量が５０重量％未満では、油性物質等の汚れの除去性に問題がでる恐れがあり、５００重量％を超えると、清掃時に基材から液状成分がしみ出て、畳に移行し、畳表面が形状変化を起こす恐れがある。
上記液状成分の量とアレルゲン低減化成分量は、それぞれの種類、目的、効果により上記した範囲で適宜決めることができる。
【００２０】
また、本発明の畳用清拭シートは、絨毯からのアレルゲン除去効果を増大させるために、油性物質溶解性溶剤を配合することが好ましい。
これは、アレルゲンは単独で畳表面に付着しているだけでなく、人体などから発生する油性物質と共に付着している場合が多いからである。
上記油性物質溶解性溶剤としては、陰イオン性界面活性剤、非イオン性界面活性剤、陽イオン性界面活性剤、両性界面活性剤、グリセリン、プロピレングリコールなどが挙げられる。畳に使用した場合の起泡性や洗浄性を考慮すると、非イオン性界面活性剤（ポリオキシエチレンアルキレンフェニルエーテル等）、プロピレングリコール等が好ましい。
上記油性物質溶解性溶剤の使用量は、目的に応じて適宜決めることができるが、好ましくは、基材に対して０．１〜２００重量％である。
【００２１】
本発明の畳用清拭シートには、アレルゲン除去および低減化効果の有効性を阻害しない範囲において、分散剤、乳化剤、湿潤剤、増粘剤、酸化防止剤、紫外線吸収剤等の製剤用補助剤が配合されていてもよく、また、殺ダニ剤、殺菌剤、防黴剤、消臭剤等が配合されていてもよい。
【００２２】
本発明の畳用清拭シートが対象とするアレルゲンとしては、動物性アレルゲン、花粉などの植物性アレルゲンが挙げられる。本発明のアレルゲン低減化成分は、これらのアレルゲンの特異抗体との反応を抑えることにより、本シートを使用した場所のアレルゲンを低減化する。特に効果のある動物性アレルゲンとしては、ダニ類のアレルゲン（ダニ類、節足動物一蛛形綱−ダニ目の生物で、主に７つの亜目に分かれている。アシナガダニに代表される背気門、カタダニに代表される四気門、ヤマトマダニ、ツバメヒメダニに代表される後気門、イエダニ、スズメサシダニ代表される中気門、クワガタツメダニ、ナミホコリダニに代表される前気門、ケナガコナダニ、コナヒョウヒダニに代表される無気門、イエササラダニ、カザリヒワダニに代表される隠気門等）のいずれの種類でも対象となり得るが、室内塵中、特に寝具類に多く、アレルギー疾患の原因となるチリダニ科、ヒョウヒダニ類に特に効果がある。
【００２３】
本発明の畳用清拭シートは、液状成分の蒸発を防ぐために、不使用時には、蒸発防止用容器や蒸発防止用袋に収納しておくことが好ましい。蒸発防止用袋としては、特に限定されないが、ガスバリア性が高い、アルミニウムと樹脂との複合フィルムを用いた袋が好ましい。また、使用勝手を考えた場合、取り出し口を繰り返し開閉でき、かつ、密閉しつ封止できるフラップラベルを採用することが好ましい。
【００２４】
【発明の実施の形態】
以下に実施例を挙げて本発明を更に詳細に説明するが、本発明はこれらの実施例のみに限定されるものではない。
【００２５】
（実施例１）
アレルゲン低減化成分としてポリオキシエチレンラウリルエーテル硫酸ナトリウム（花王社製）１重量％、アレルゲン低減化成分の溶媒として精製水７９重量％、油性物質溶解性溶剤としてプロピレングリコール２０重量％とからなる溶液３．６ｇを、２０ｃｍ×３０ｃｍ（２．４ｇ）の不織布（三昭紙業社製；ＫＰ８３４０）に滴下含浸させて、密封容器中で２４時間放置して、サンプルシートを得た。
【００２６】
（実施例２）
アレルゲン低減化成分としてラウリル硫酸ナトリウム（花王社製）３重量％、アレルゲン低減化成分の溶媒として精製水５７重量％、油性物質溶解性溶剤としてプロピレングリコール４０重量％とからなる溶液３ｇを、１５ｃｍ×２０ｃｍ（４．１ｇ）の綿布に滴下含浸させて、密封容器中で２４時間放置して、サンプルシートを得た。
【００２７】
（実施例３）
アレルゲン低減化成分として、硫酸亜鉛七水和物（和光純薬品工業社製）３重量％、リン酸塩としてリン酸一ナトリウム２水和物（関東化学社製）及びリン酸二ナトリウム１２水和物（和光純薬品工業社製）を精製水に溶解させて濃度を０．０１Ｍに調整したリン酸緩衝液（ｐＨ＝７．３５）９７重量％とからなる溶液３ｇを、１５ｃｍ×２０ｃｍ（２．７ｇ）の不織布（呉羽テック社製；＃２８１）に滴下含浸させて、密封容器中で２４時間放置して、サンプルシートを得た。
【００２８】
（比較例１）
Ｔ家の居間の畳、Ｓ家の寝室の畳、Ｍ家の寝室の畳、Ｎ家の居間の畳の４カ所を拭き掃除しないで、（２９０mm×２１０mm）をアサヒビール薬品製「ダニスキャン」のキットに従って、アレルゲン量を測定比較した。結果を表１に示す。
【００２９】
（比較例２）
アレルゲン低減化成分としてポリオキシエチレンラウリルエーテル硫酸ナトリウム（花王社製）１重量％、アレルゲン低減化成分の溶媒として精製水７９重量％、油性物質溶解性溶剤としてプロピレングリコール２０重量％からなる溶液６ｇを、トリガータイプのスプレー型容器（1回の噴射で、約０．８ｍｌ噴）に入れた。Ｔ家の居間の畳、Ｓ家の寝室の畳、Ｍ家の寝室の畳、Ｎ家の居間の畳の４カ所の畳１畳に一様になるように噴霧した。
噴霧終了後、溶液が均一に畳表面に広がるように１５ｃｍ×２０ｃｍのアクリル板で塗り広げた。噴霧した区画の中央部分（２９０mm×２１０mm）をアサヒビール薬品製「ダニスキャン」のキットに従って、アレルゲン量を測定比較した。
結果を表１に示す。
【００３０】
（比較例３）
アレルゲン低減化成分を用いないで、アレルゲン低減化成分の溶媒として精製水８０重量％、油性物質溶解性溶剤としてプロピレングリコール２０重量％からなる溶液６ｇを、１５ｃｍ×２０ｃｍ（２．７ｇ）の不織布（呉羽テック社製；＃２８１）に滴下含浸させて、密封容器中で２４時間放置して、サンプルシートを得て、同様の評価を行った。結果を表１に示す。
【００３１】
（アレルゲン低減化の評価）
各サンプルシートを使用し、一般家庭であるＴ家の居間の畳、Ｓ家の寝室の畳、Ｍ家の寝室の畳、Ｎ家の居間の畳の４カ所をそれぞれ１畳づつ９０秒かけて拭き掃除した。掃除終了後、掃除した区画の中央部分（２９０mm×２１０mm）をアサヒビール薬品製「ダニスキャン」のキットに従って、アレルゲン量を測定比較した。判定はダニスキャンの使用説明書に従った。ダニスキャンの判定基準は以下のとおり。結果を表1に示す。
１・・・ダニアレルゲンの汚染は無い（テストラインＴ＝０）
２・・・ややダニアレルゲンで汚染されている（Ｔ＜Ｃコントロールライン）
３・・・ダニアレルゲンで汚染されている（Ｔ＝Ｃ）
４・・・非常に汚染されている（Ｔ＞Ｃ）
【００３２】
（畳の状態評価）
上記にて作成した各サンプルシートを用いて、未使用の畳を繰り返し３回拭き取りを行った場合の畳の寸法変化及び変形具合を目視で調べた。（スプレー使用の場合は、スプレー後３回拭き取りを行った。）畳変形の判断基準は以下のとおり。
○・・・変形なし
△・・・畳表面の波打ち少し発生
×・・・畳表面の波打ち発生
【００３３】
【表１】
0004804685.tif 000002
【００３４】
【発明の効果】
本発明の畳用清拭シートは、アレルゲン低減化成分を基材に含浸させてなる畳用清拭シートなので、アレルゲンに汚染された畳表面から、簡便に効率よくアレルゲンを除去できる。さらに、畳表面にアレルゲンが残留する場合でも、本発明の畳用清拭シートに含有されるアレルゲン低減化成分により、アレルゲンが不活性になる効果を持つ。すなわち本発明の畳用清拭シートは、上記のごとく二段階の低減化手段（除去及び不活性化）を併せ持つために、非常に有効に畳表面上のアレルゲン量を低減化することができる。